(57)【要約】  廃材の少なくとも１つの投入開口部４を備えるごみシュート１に関連する方法であって、投入開口部４からごみシュートに投入される廃材５は、重力の作用下でごみシュート内を当該ごみシュートの底部分まで移動する、方法。廃材５の進行方向に対して逆向きの空気流がごみシュート１内にもたらされ、当該空気流によって、廃材の移動速度が影響を受ける。本発明はまた装置に関する。【選択図】図１
2013503798.tif 000002
【特許請求の範囲】
【請求項１】
廃材の少なくとも１つの投入開口部（４）を備えるごみシュート（１）に関連する方法であって、投入開口部（４）から前記ごみシュートに投入される前記廃材（５）は、重力の作用下で前記ごみシュート内を該ごみシュートの底部分まで移動する、方法において、前記廃材（５）の進行方向に対して逆向きの空気流が前記ごみシュート（１）内にもたらされ、前記空気流によって、前記廃材の移動速度が影響を受けることを特徴とする、方法。
【請求項２】
空気流は、ファン又は抽出器等の少なくとも１つのポンプデバイス（１０、１０’、１０’’、３０）によってもたらされることを特徴とする、請求項１に記載の方法。
【請求項３】
前記ポンプデバイス（１０、１０’、１０’’、３０）の吸引側は、前記ごみシュート（１）の上端部に接続されていることを特徴とする、請求項１又は２に記載の方法。
【請求項４】
交換空気が、前記ポンプデバイス（１０、１０’、１０’’、３０）に対して対向端部から前記ごみシュート（１）内にもたらされることを特徴とする、請求項１乃至３のいずれか１項に記載の方法。
【請求項５】
前記ごみシュート（１）内で作用する前記空気流の特性は、以下のパラメータ、すなわち、前記ごみシュートの前記底部分（３）までの前記廃材（５）の投入地点の距離、前記投入開口部（４）の遮断弁（Ｖ）及び／又は投入ハッチ（７）の状態、材料空間に対する前記投入材料の位置のうちの少なくとも１つに基づいて調節されることを特徴とする、請求項１乃至４のいずれか１項に記載の方法。
【請求項６】
前記ごみシュート（１）内への前記廃材（５）の投入が調節されることを特徴とする、請求項１乃至６のいずれか１項に記載の方法。
【請求項７】
前記空気流の少なくとも一部は、前記ポンプデバイスの吹き出し側から、前記ごみシュート、好的には前記ごみシュートの前記底部分に戻るように再循環されることを特徴とする、請求項１乃至６のいずれか１項に記載の方法。
【請求項８】
前記空気流は、前記ごみシュートから分離デバイスに導かれ、該分離デバイスは、前記ごみシュートの上部分と前記ポンプデバイスとの間の媒体の流れ経路内に配置されていることを特徴とする、請求項１乃至７のいずれか１項に記載の方法。
【請求項９】
前記ごみシュート（１）の前記材料空間（６）及び／又は前記分離デバイス（２１）を空にする際に、前記シュート内の前記空気流は、前記廃材（５）の進行方向に進行するように変更されることを特徴とする、請求項１乃至８のいずれか１項に記載の方法。
【請求項１０】
ごみシュート（１）に関連する装置であって、前記ごみシュートは、廃材の少なくとも１つの投入開口部（４）を備え、該投入開口部（４）から前記ごみシュートに投入される前記廃材（５）は、重力の作用下で前記ごみシュート内を該ごみシュートの底部分まで移動するように適合されている、装置において、前記装置は、前記廃材（５）の進行方向に対して逆向きの空気流を前記ごみシュート（１）内にもたらす手段（１０、１０’、１０’’、３０）を備え、前記ごみシュート（１）内で前記廃材の移動速度に影響を及ぼすように適合されていることを特徴とする、装置。
【請求項１１】
前記廃材の進行方向に対して逆向きの空気流をもたらす前記手段は、ファン又は抽出器等の少なくとも１つのポンプデバイス（１０、１０’、１０’’、３０）を含むことを特徴とする、請求項１０に記載の装置。
【請求項１２】
前記ポンプデバイス（１０、１０’、１０’’、３０）の吸引側は、前記ごみシュート（１）の上端部に接続されていることを特徴とする、請求項１０又は１１に記載の装置。
【請求項１３】
前記装置は、前記ポンプデバイス（１０、１０’、１０’’、３０）に対して対向端部から前記ごみシュート（１）内に交換空気をもたらす手段（１５）を備えることを特徴とする、請求項１０乃至１２のいずれか１項に記載の装置。
【請求項１４】
前記装置は、以下のパラメータ、すなわち、前記ごみシュートの前記底部分（３）までの前記廃材（５）の投入点の距離、前記投入開口部（４）の遮断弁（Ｖ）及び／又は投入ハッチ（７）の状態、材料空間（６）に対する前記投入材料（５）の位置のうちの少なくとも１つに基づいて、前記ごみシュート（１）内で作用する前記空気流の特性を調節する手段を備えることを特徴とする、請求項１０乃至１３のいずれか１項に記載の装置。
【請求項１５】
前記装置は、前記ごみシュート内への前記廃材の投入を調節する手段（７、Ｖ）を備えることを特徴とする、請求項１０乃至１４のいずれか１項に記載の装置。
【請求項１６】
前記装置は、少なくとも前記ポンプデバイス（１０、１０’、１０’’）の吹き出し側からの前記空気流の少なくとも一部を再循環させて、前記ごみシュート（１）、好的には該ごみシュートの前記底部分（３）に戻す手段（４０）を備えることを特徴とする、請求項１０乃至１５のいずれか１項に記載の装置。
【請求項１７】
前記装置は、分離デバイス（２１）を更に備え、該分離デバイスは、前記ごみシュートの上部分（２）と前記ポンプデバイス（１０、１０’、１０’’、３０）との間の媒体の流れ経路内に配置されていることを特徴とする、請求項１０乃至１６のいずれか１項に記載の装置。
【請求項１８】
少なくとも前記ごみシュート（１）の前記材料空間及び／又は前記分離デバイス（２１）を空にする際に、前記装置は前記空気流の進行方向を変更するように適合されていることを特徴とする、請求項１０乃至１７のいずれか１項に記載の装置。
【発明の詳細な説明】
【技術分野】
【０００１】
本発明の対象は、請求項１のプリアンブルに規定される方法である。
【０００２】
本発明の対象はまた、請求項１０のプリアンブルに規定される装置である。
【０００３】
本発明は、概して、部分真空搬送システム等の材料移動システムに関し、より詳細には家庭廃棄物の移動等の廃棄物の収集と移動に関する。本発明はまた、ごみシュートに関するものであり、当該ごみシュートによって、廃棄物は通常、例えばアパートの上側投入開口部から下側の収集空間又は相当する空間に重力によって移動される。
【背景技術】
【０００４】
廃棄物が、圧力差又は吸引によって配管内を移動するシステムも、当該技術分野で知られている。これらのシステムでは、廃棄物は、吸引によって配管内を長い距離移動する。圧力差をもたらすために部分真空装置が使用されることが、これらのシステムにとって典型的であり、当該装置では、部分真空が、真空ポンプ又はエジェクタ装置等の部分真空発生器によって移送パイプ内で達成される。移送パイプは通常、少なくとも１つの弁手段を備え、弁手段を開閉することによって、移送パイプ内に入る交換空気が調節される。ごみシュートは、システムにおいて材料投入端部で使用され、材料投入端部内に、廃材等のごみシュート材料が投入され、ごみシュートから、移送される材料が、排出弁手段を開放することによって移送パイプ内に移送され、その場合、移送パイプ内で作用する部分真空の補助によって達成される吸引効果によって、またごみシュートを介して作用する周囲の空気圧によって、例えば袋に詰められた廃材等の材料が、ごみシュートから移送パイプ内に移送される。対象となる空気圧式廃棄物移送システムは、人口密度が高い市街エリアで特に好適に利用されることができる。これらのタイプのエリアには、高い建物があり、空気圧式廃棄物移送システム内への廃棄物の投入は、建物内に配置されたごみシュートを介して行われる。
【０００５】
ごみシュートは、通常、ごみシュートの壁に互いに或る距離をおいて配置される複数の投入ポイントを備える垂直パイプである。高い建物は、何十の、さらに何百の階を有する場合があり、その場合、ごみシュートは非常に高いパイプを形成する。この場合、上からごみシュートに投入される、例えば袋に入った廃棄物は、シュート内を長い距離、例えば最大２００ｍ落下し、その場合、廃材の速度は、廃材がごみシュート内を下に落下するにつれて非常に高くまで加速される。自由落下する廃材は、ごみシュートの底端部で粉砕される。１つの問題は、ごみシュートの底部分に高速で落下し粉砕され、シュートの底部分できつくぎっしり詰められている廃棄物が、ごみシュートの底部分から移送パイプ内に必ずしも移動するわけではないことであり得る。廃材が、ごみシュートの底部で出口開口部の近くにおいてぎっしり詰められている場合、１つの問題は、出口開口部の付近でぎっしり詰められた材料が出口開口部を塞ぎ、その場合、ごみシュートから移送パイプへの材料の移送が阻止され、かつ／又は、ごみシュートから移送パイプへの交換空気のアクセスが阻止される。機械的障害物をシュート内に配置することによって、廃材がぎっしり詰められることを防止する試みが行われており、それによってごみシュート内での廃棄物袋の落下速度を減速させようとしている。機械的減速障害物に関する問題は、廃棄物袋が、その障害物に当たると度々破壊され、その場合、廃棄物はごみシュートの内面を不必要に汚す。これは、ごみシュートを清潔に保つことをより難しくし、さらに、ごみシュートを汚した、破断した廃棄物袋からの廃棄物が臭気公害を発生する。さらに、廃材の障害物との衝突が騒音公害を発生する。
【発明の概要】
【発明が解決しようとする課題】
【０００６】
本発明の目的は、ごみシュートに関連する新しいタイプの解決策を達成することであり、従来技術の欠点がそれによって回避される。
【課題を解決するための手段】
【０００７】
本発明は、ごみシュート内で廃材の移動方向に抗する空気流を発生させる手段が、ごみシュートに関連されて配置され、その空気流によって、ごみシュート内での廃材の移動がとりわけ減速され得るという概念に基づく。
【０００８】
本発明による方法は、廃材の進行方向に対して逆向きの空気流がごみシュート内にもたらされ、その空気流によって廃材の移動速度が影響を受けることを主に特徴とする。
【０００９】
本発明による方法はまた、請求項２乃至９において述べられていることを特徴とする。
【００１０】
本発明による装置は、廃棄物の進行方向に対して逆向きの空気流をごみシュート内にもたらす手段を備え、ごみシュート内で廃材の移動速度に影響を及ぼすように適合されることを主に特徴とする。
【００１１】
本発明による装置はまた、請求項１１乃至１８において述べられていることを特徴とする。
【００１２】
本発明による解決策は、複数の重要な利点を有する。本発明によって、ごみシュートを素早くかつ効果的に空にして移送パイプに入れることが達成される。本発明による方法と装置によって、ごみシュート内での廃材の落下速度を制御された方法で減速することが可能である。同時に、ごみシュートの出口開口部の塞がれやすさを低減させることが可能であり、その場合、空気圧式材料移動システムの動作は良好なままである。別の重要な利点は、ごみシュートから、空気流とともにごみシュートの粒子及び臭気をなくすことであり、その場合、臭気による不都合がかなり低減され得る。本発明によれば、廃棄物レセプタクル又はごみシュート等の、廃棄物の廃棄地点である材料ごみシュートが使用され得る。本発明による方法と装置は、袋に入った廃材等の廃材の移送システムに関連して特に適している。ポンプデバイスが、通常動作において非アクティブ状態で少量の空気流を常に発生させ、当該空気流によって、シュート内での臭気、ガス及び同様に小さな粒子の発生が防止され、その場合、火災の危険及び爆発の危険が低減される。ポンプデバイスによってもたらされる空気流は、投入開口部のハッチが開放するか、又は廃棄物袋がその他の方法でシュート内に入ることを許容されると上昇される。所望の長さの遅延が、空気流を上昇すること、及び、ハッチを開放／閉鎖することに関連して用いられ得る。
【００１３】
材料空間、すなわち投入ポケットは、投入開口部に関連されているものとすることができ、当該材料空間を空にすることは、通常、シュート内での塞がれの開始が防止されるように底部から上方に実施される。空気流はまた、最初に空気流がごみシュート内で廃材を上方に持ち上げ、その後、例えば廃材が所望の速度で材料空間まで下方に降りるように制御された方法で空気量を減少させることによって空気流が調節されるように構成され得る。この構成は、好的には、空気エジェクタによって達成され、空気はアキュムレータから取り出され、アキュムレータの圧力は空にするサイクル中に減少する。空気エジェクタの１つの利点は、空気が排気に付加されることでもあり、その場合、単位当たりの微小粒子がより少なくなる。
【００１４】
以下では、本発明は、添付図面を参照して実施形態を用いてより詳細に述べられる。
【図面の簡単な説明】
【００１５】
【図１】第１の動作モードにおける、本発明による装置の１つの簡略化された実施形態を示す図である。
【図２】第２の動作モードにおける、本発明による装置の１つの簡略化された実施形態を示す図である。
【図３】第１の動作モードにおける、本発明による装置の第２の実施形態を示す図である。
【図４】第２の動作モードにおける、本発明による装置の第２の実施形態を示す図である。
【図５】第１の動作モードにおける、本発明による装置の第３の実施形態を示す図である。
【図６】第２の動作モードにおける、本発明による装置の第３の実施形態を示す図である。
【図７】第１の動作モードにおける、本発明による装置の第４の実施形態を示す図である。
【図８】第２の動作モードにおける、本発明による装置の第４の実施形態を示す図である。
【図９】第１の位置における、本発明による装置の詳細を示す図である。
【図１０】第２の位置における、本発明による装置の詳細を示す図である。
【発明を実施するための形態】
【００１６】
図１及び図２は、本発明による解決策の１つの簡略化された断面の実施形態を示す。材料移動システムのごみシュート１が図１に示される。ごみシュート１は、建物のフロアＦ１…Ｆｎまで通じて垂直方向に延在し、その場合、ごみシュートの上端部２は、例えば建物の屋根Ｒまで延在する。ごみシュート１の底端部３は、建物の底部分、例えば地階の空間２０まで延在する。図では、地表面が文字Ｓでマーキングされている。１つ又は複数の投入開口部４がごみシュート１内に配置されている。図のごみシュート１は、建物の適した場所に配置されたパイプの一部である。
【００１７】
材料は、１つ又は複数の投入開口部４を介してごみシュートに投入される。ハッチ構造７又はそうした種類のものを、投入開口部４に関連させることができる。さらに、ごみシュート１内への材料のアクセスを調節するのに用いられる弁手段Ｖが、投入開口部に関連させることもできる。投入開口部に関連した、１つの実施形態によるハッチ構造及び弁構造は、下記及び図９と図１０においてより詳細に述べられる。通常、廃材５は、投入開口部４からごみシュート１内に落とされる。複数の投入開口部４が、通常は各フロアＦ１…Ｆｎに少なくとも１つ、ごみシュートに配置される。図の実施形態の建物は６つのフロアを備え、その中の一番上のフロアは図においてマーキングＦｎで印付けられており、その場合、任意の数のフロアが何であれ対象となることができる。
【００１８】
ごみシュート１は、その底部分３から移送パイプ９に接続される。駆動デバイス（図示せず）とともに使用される排出弁８が、移送パイプ９とごみシュート３との間にある。図１の実施形態では、ごみシュートの底部分３は、壁によって境界が定められた材料空間６を備え、その材料空間内に、袋に詰められた廃棄物等の廃材５が、通常は重力の作用下で落ちる。
【００１９】
投入開口部４からごみシュート１内に投入される材料５は、ごみシュート１の底部分３向かう重力の作用下で、底部分の材料空間６の壁と出口開口部の排出弁８に当たり、ぎっしり詰められようとする。従来の構成では、ごみシュートの出口開口部を塞ぐリスク、及び、空気圧式システムでは、コンテナの排出段階における動作の観点から欠くことのできない交換空気のアクセスを阻止するリスクが存在する。
【００２０】
従来技術の欠点を回避するために、図１及び図２の実施形態の手段１０、１１、１２が、空気流によってごみシュート１内での廃材５の落下速度を減速させるために、ごみシュートに関連させて配置されている。装置はポンプデバイス１０を含み、ポンプデバイスの吸引側が、ごみシュートの上端部２に接続されている。ポンプデバイス１０は駆動手段１１とともに使用される。例えばポンプの回転速度を調節するための調節装置１２が、駆動手段とポンプデバイスとの間にあり得る。これらの装置によって、ごみシュート１において廃材５の落下方向に対して逆方向へ空気流が発生される。図１及び図２の実施形態では、ポンプ１０とごみシュート１とポンプの吹き出し側の騒音マフラー１４との間にフィルター手段１３が存在する。
【００２１】
廃材５がごみシュートに投入されると、ごみシュート１において廃材の移動方向に対して逆方向へ空気流が発生され、当該空気流は、図１において、ごみシュート１内で上方を指す、すなわちごみシュートの第１の端部３の方向を指す矢印で示される。空気流を発生するために、交換空気がごみシュート内で必要とされ、当該交換空気は、図１及び図２では、ごみシュート１内、好適にはごみシュート１の底部分３内に形成された交換空気開口部１５から受け取られ、当該開口部は、図の実施形態では、空間２０内に開口している。対応して、空間２０は流入空気弁１６又は同等物を備え、それを介して、必要とされる交換空気が空間２０内に流れ込む。図１の場合、空気流は、ごみシュート内で物体、より詳細には廃材の落下方向に抗して作用し、それにより、廃材５、より詳細には袋に詰められた廃材の落下速度は、廃材がごみシュートの底部分内で過度に密集されてぎっしり詰められないように、また一方で廃棄物袋が落下から無傷のままであり、分解しないように最適なままである。
【００２２】
図１では、交換空気の移動は、空気チャネル１６からの矢印、ごみシュートの底部分３と材料空間６の上部分の円錐端部との間の交換空気チャネル１５からの矢印、及び更にポンプ１０によって発生される廃材の落下方向に抗する吸引作用によるごみシュート内の矢印で示される。
【００２３】
図１では、廃材５は、ごみシュート１の１つの投入開口部４、この図では５階フロアＦ５の投入開口部からごみシュート内に、ハッチ７を開放することによって投入される。廃材５は、重力の作用下でシュートの底端部３に向かって落ちる。ポンプデバイス１０は、対向する空気流を発生させ、ごみシュート１内での廃材の落下を減速させる。ポンプデバイス１０は、例えば廃棄物袋等の落下する廃材を減速させるような速度で空気を上方に吸引する抽出装置であり得る。
【００２４】
ポンプデバイス１０は、好的には、通常モードにおいてシュート及び廃棄物室２０から臭気を除去する低吸引が存在するように、複数の速度で動作するように構成される。或るフロアＦ１…Ｆｎの投入開口部４のハッチ７が開放されると、ポンプデバイス１０によって発生される吸引は、対象となるフロアが要求する事前プログラムされたレベルに適合され、当該レベルは、袋の移動が下方に加速することを本質的に防止する。
【００２５】
図２は、図１の実施形態による装置を、第２の動作モードにおいてその一部について示し、ごみシュート１の底部分の材料空間６に収集された廃材は、弁８を開くことで、材料が圧力差の作用によって移送パイプ９に移動することができる、それ自体が従来技術である方法で空気圧式廃棄物移送システムの移送パイプ９に移動させられる。
【００２６】
図による実施形態では、２つの位置、すなわち、材料空間６の壁が底位置にあり、その場合、材料空間内の廃材が弁８に押し当たることができない第１の位置と、材料空間６の壁と材料空間の基部との間に開口部が存在し、当該開口部から、材料が移送パイプ９と弁手段に向かって移動することができる第２の位置との間で材料空間６のパイプ状壁を移動させることも可能である。これは、追加の特徴であり、本発明の適用において必ずしも必要ではない。
【００２７】
図３及び図４は、本発明の第２の実施形態を示し、分離器デバイス２１、より詳細には粒子分離器が、ごみシュートの上端部２とポンプ手段１０との間に配置されている。図３は、図１の状況に対応する状況が存在する動作モードを説明し、その場合、ごみシュート内に投入される廃材５のごみシュート内での移動は、ポンプデバイス１０によってもたらされる空気流によって影響を受ける。同時に、空気流とともに進行する粒子は、ごみシュート１から分離デバイス２１内に、媒体の通過経路２２、より詳細にはパイプラインに沿って進行し、空気流とともに進行する粒子の少なくとも一部が空気流から分離する。分離デバイス２１は通常、サイクロン分離器であり、より重い粒子が遠心力によって空気流から分離し、分離器の基部に収集される。
【００２８】
図４は、第２の動作モード、すなわち空にするモードにおける図３の装置を示す。図では、ごみシュートの底部分に収集された廃材は、図１及び図２に示される解決策に対応する方法で空にされ移送パイプに入れられる。これらの図に示されるものに加えて、分離デバイス２１に収集された粒子は、ごみシュートの上部分から分離デバイスの上部分まで通じるパイプライン２２を弁２３によって閉鎖することによって同時に空にされる。同時に、分離デバイスからポンプ１０の吸引側につながる媒体の通過経路２８が、通過経路２８の弁２９を閉鎖することによって閉鎖される。対応して、分離デバイスの底部分からごみシュートの上部分に通じる媒体の通過経路２４は、上記通過経路内の弁手段２５を開放することによって開放される。交換空気ラインの弁２７もまた開放され、当該弁は、分離デバイス２１と、ポンプ１０の吸引側につながる媒体の通過経路２８を閉鎖する弁２９との間にある。この場合、移送パイプ９とごみシュートの底部分で作用する吸引及び圧力差によって、分離デバイスの粒子が、媒体の通過経路２４に沿って分離デバイスからごみシュート内に、更にごみシュートの底部分に、また更に底部分から移送パイプ９内へ移送される。
【００２９】
したがって、分離デバイスを用いて、より大きな粒子がフィルター１３に向かうことを防止することが可能になる。フィルター１３の耐用年数はそれにより延長され、同時に、とりわけ粒子によって生じるいかなる臭気公害も低減される。一方、粒子は、外気に向かうことが防止される。
【００３０】
図５及び図６の実施形態では、ポンプデバイスはエジェクタポンプであり、媒体ノズル３１による圧力によりエジェクタパイプ３０内に媒体を噴霧することによって、ポンプデバイスの吸引側に接続された媒体チャネル２８内で吸引が発生され、当該媒体チャネルは、図によると、分離デバイス２１に、またさらに媒体チャネル２２によってごみシュート１の上部分２に接続されている。媒体は、媒体の通過経路３３を介して、圧縮空気を発生する圧縮器等の圧力発生器３３による圧力によりエジェクタノズルに移動される。ごみシュート内の空気流は、エジェクタポンプによって調節することができ、その場合、投入開口部４を介してごみシュート１に投入される材料５の、ごみシュート内での落下速度を調節することができる。
【００３１】
図６は、ごみシュート１が空にされる動作モードを示す。同時に、分離デバイス２１内に収集された粒子もまたごみシュートを介して出口パイプ９に導かれる。この場合、圧力媒体はノズル３１に導かれるのではなく、代わりに、圧力発生器３３とノズル３１との間の媒体の通過経路３２の弁が閉鎖される。分離手段とポンプデバイスとの間の媒体の通過経路２８の弁２９が閉鎖され、分離デバイス２１の上部分とごみシュート１の上部分２との間の接続もまた、媒体の通過経路２２の弁２３を閉鎖することによって閉鎖される。対応して、分離デバイス２１の底部分からごみシュート１の上部分２に通じる媒体の通過経路２４は、該通過経路の弁手段２５を開放することによって開放される。交換空気ラインの弁２７もまた開放され、当該弁は、分離デバイス２１と、ポンプの吸引側につながる媒体の通過経路２８を閉鎖する弁２９との間にある。この場合、移送パイプ９及びごみシュートの底部分で作用する吸引及び圧力差によって、分離デバイスの粒子が、分離デバイスから媒体の通過経路２４に沿ってごみシュート内に、更にごみシュートの底部分に、また更に底部分から移送パイプ９内へ移送される。
【００３２】
図７及び図８は、本発明による装置のまた別の実施形態を示す。当該実施形態は、媒体の通過経路４０をポンプデバイスの吹き出し側からごみシュート１に、最適にはごみシュートの底部分３に戻るように導くことによって、空気流の少なくとも一部を循環させることができる点で先述の実施形態と異なる。この場合、吹き出される空気の量を低減することができる。図７及び図８による解決策は、複数のポンプ手段１０、１０’、１０’’を備え、それらの吸引側は、分離デバイス２１、更にごみシュート１の上部分に接続されることができる。図の実施形態は、並列に接続されている３つのポンプデバイス１０、１０’、１０’’を備える。ポンプデバイス１０、１０’、１０’’はそれぞれ、図の実施形態では、戻りチャネル内に、すなわち媒体の通過経路４０内に吹き出すように個々に接続されることができ、当該通過経路は、噴射空気を、ごみシュート１に、通常はごみシュート１の底部分３に戻るように導く。図７の実施形態では、第１のポンプデバイス１０の噴射空気は、弁４１が開放すると、騒音マフラー１４が設けられているチャネルを介して外に導かれる。第２のポンプデバイス１０’及び第３のポンプデバイス１０’’は、弁４１’及び４１’’が開放すると、噴射空気を媒体チャネル４０に循環させるように適合されている。図７によるこの動作モードでは、廃材５の落下方向に抗する空気流がごみシュート１内で達成され、その場合、材料空間６につながるシュートの底部への材料の落下が減速される。
【００３３】
図７の実施形態では、各ポンプデバイス１０、１０’、１０’’は、発生される吸引の約１／３の割合に対応する。吸引の２／３の割合は、媒体の通過経路４０を介してごみシュートに、更にごみシュートの底部分に戻るように誘導される戻り回路内に存在し、１／３がシステムから外に導かれる。したがって、交換空気の割合は図の実施形態では１／３である。循環される空気量及び吹き出される空気と循環される空気との比は、ポンプデバイスの回転速度を調節することによって、かつ／又は、ポンプデバイスの吹き出し側の空気を循環から出すか又は戻り回路に入れるように導く弁４１、４１'、４１’’及び／又は弁４２、４２'、４２’’を開閉することによって変動し得る。
【００３４】
図８は、ごみシュート１の底部分３の材料空間６内に収集された廃材がパイプ９に入るように空にされる状況を、その一部について示す。図では、ごみシュートの底部分内に収集された廃材は、図１及び図２に示された解決策に対応する方法で移送パイプ内に入るように空にされる。これらの図で示されるものに加えて、分離デバイス２１内に収集された粒子は、同時に、ごみシュートの上部分から分離デバイスの上部分まで通じるパイプライン２２を弁２３によって閉鎖することによって空にされる。同時に、分離デバイスからポンプ１０、１０’、１０’’の吸引側につながる媒体の通過経路２８は、当該通過経路内の弁２９を閉鎖することによって閉鎖される。対応して、分離デバイスの底部分からごみシュート１の上部分２につながる媒体の通過経路２４は、当該通過経路内の弁手段２５を開放することによって開放される。さらに、交換空気ラインの弁２７もまた開放され、その弁は、分離デバイス２１と、ポンプ１０、１０’、１０’’の吸引側につながる媒体の通過経路２８を閉鎖する弁２９との間にある。さらに、図の実施形態では、ポンプの吹き出し側の弁４１、４１'、４１’’、４２、４２'、４２’’が開放されており、その場合、同様に媒体の通過経路４０を介して、すなわち戻りパイプを介して交換空気を受け取ることが可能である。
【００３５】
移送パイプ９とごみシュート１の底部分３で作用する吸引及び圧力差によって、分離デバイス２１の粒子が、分離デバイスから媒体の通過経路２４に沿ってごみシュートの上部分２に、更にごみシュートの底部分３に、また更に底部分３から移送パイプ９内へ移送される。
【００３６】
或る好ましい実施形態によれば、
ポンプデバイスは、通常動作において非アクティブ状態で少量の空気流を常に発生させ、当該空気流によって、シュート内での臭気、ガス、及び小さな粒子の発生が防止される。火災の危険及び爆発の危険も防止される。
ポンプデバイスによってもたらされる空気流は、投入開口部のハッチが開放されるか、又は廃棄物袋がその他の方法でシュート内に入ることを許容されると上昇される。所望の長さの遅延が、空気流を上昇することや、ハッチを開放／閉鎖することに関連して用いられ得る。
材料空間、すなわち投入ポケットは、投入開口部に関連させることができ、その材料空間を空にすることは通常、シュート内での塞がれの開始が防止されるように底部から上方に実施される。
空気流はまた、最初に空気流がごみシュート内で廃材を上方に持ち上げ、その後、例えば廃材が所望の速度で材料空間６まで下方に降りるように制御された方法で空気量を減少させることによって空気流が調節されるように構成され得る。この構成は、好的には、空気エジェクタによって達成され、空気はアキュムレータから取り出され、アキュムレータの圧力は空にするサイクル中に減少する。
空気エジェクタの１つの利点は、空気が排気に付加されることでもあり、その場合、単位当たりの微小粒子がより少なくなる。
【００３７】
したがって、本発明は、廃材の少なくとも１つの投入開口部４を備えるごみシュート１に関連する方法であって、投入開口部４からごみシュートに投入される廃材５は、重力の作用下でごみシュート内をごみシュートの底部分まで移動する、方法に関する。廃材５の進行方向に対して逆向きの空気流がごみシュート１内にもたらされ、当該空気流によって、廃材の移動速度が影響を受ける。
【００３８】
好的な一実施形態によれば、空気流は、ファン又は抽出器等の少なくとも１つのポンプデバイス１０、１０’、１０’’、３０によってもたらされる。
【００３９】
好的な一実施形態によれば、ポンプデバイス１０、１０’、１０’’、３０の吸引側は、ごみシュート１の上端部に接続されている。
【００４０】
好的な一実施形態によれば、交換空気が、ポンプデバイス１０、１０’、１０’’、３０に対して対向端部からごみシュート１内にもたらされる。
【００４１】
好的な一実施形態によれば、ごみシュート１内で作用する空気流の特性は、以下のパラメータ、すなわち、ごみシュートの底部分３までの廃材５の投入地点の距離、投入開口部４の遮断弁Ｖ及び／又は投入ハッチ７の状態、材料空間に対する投入材料の位置のうちの少なくとも１つに基づいて調節される。
【００４２】
好的な一実施形態によれば、当該方法において、ごみシュート１内への廃材５の投入が調節される。
【００４３】
好的な一実施形態によれば、当該方法において、空気流の少なくとも一部は、ポンプデバイス１０、１０’、１０’’の吹き出し側から、ごみシュート１、好的には当該ごみシュート１の底部分３に戻るように再循環される。
【００４４】
好的な一実施形態によれば、空気流は、ごみシュート１から分離デバイス２１に導かれ、当該分離デバイスは、ごみシュートの上部分とポンプデバイスとの間の媒体の流れ経路内に配置される。
【００４５】
好的な一実施形態によれば、ごみシュート１の材料空間６及び／又は分離デバイス２１を空にする際に、シュート内の空気流は、廃材５の進行方向に進行するように変更される。
【００４６】
本発明はまた、ごみシュート１に関連する装置であって、ごみシュートは、廃材の少なくとも１つの投入開口部４を備え、投入開口部４からごみシュートに投入される廃材５は、重力の作用下でごみシュート内をごみシュートの底部分まで移動するように適合されている、装置に関する。当該装置は、廃材５の進行方向に対して逆向きの空気流をごみシュート１内にもたらす手段１０、１０’、１０’’、３０を備え、ごみシュート１内で廃材の移動速度に影響を及ぼすように適合されている。
【００４７】
好的な一実施形態によれば、廃材の進行方向に対して逆向きの空気流をもたらす手段は、ファン又は抽出器等の少なくとも１つのポンプデバイス１０、１０’、１０’’、３０を含む。
【００４８】
好的な一実施形態によれば、ポンプデバイス１０、１０’、１０’’、３０の吸引側は、ごみシュート１の上端部に接続されている。
【００４９】
好的な一実施形態によれば、当該装置は、ポンプデバイス１０、１０’、１０’’、３０に対して対向端部からごみシュート１内に交換空気をもたらす手段１５を備える。
【００５０】
好的な一実施形態によれば、当該装置は、以下のパラメータ、すなわち、ごみシュートの底部分３までの廃材５の投入点の距離、投入開口部４の遮断弁Ｖ及び／又は投入ハッチ７の状態、材料空間６に対する投入材料５の位置のうちの少なくとも１つに基づいて、ごみシュート１内で作用する空気流の特性を調節する手段を備える。
【００５１】
好的な一実施形態によれば、当該装置は、ごみシュート内への廃材の投入を調節する手段７、Ｖを備える。
【００５２】
好的な一実施形態によれば、当該装置は、少なくともポンプデバイス１０、１０’、１０’’の吹き出し側からの空気流の少なくとも一部を再循環させて、ごみシュート１、好的にはごみシュートの底部分３に戻す手段４０を備える。
【００５３】
好的な一実施形態によれば、当該装置は分離デバイス２１を更に備え、当該分離デバイスは、ごみシュートの上部分２とポンプデバイス１０、１０’、１０’’、３０との間の媒体の流れ経路内に配置されている。
【００５４】
好的な一実施形態によれば、当該装置は、少なくともごみシュート１の材料空間及び／又は分離デバイス２１を空にする際に、空気流の進行方向を変更するように適合されている。
【００５５】
通常、廃材５は、袋に入った廃材等の廃材である。ごみシュートは、空気圧式廃棄物移送システムの一部であるように適合することができるか、又は廃材が廃棄物室、廃棄物コンテナ若しくは同等物内に導かれる別個の部分であるとすることができる。
【００５６】
本発明は、上記で提示された実施形態に限定されないが、添付の特許請求の範囲内で変えることができることが当業者に明らかである。本明細書において提示された可能性のある特徴は、必要であれば他の特徴とともに互いに別々に使用されることができる。
【図１】
2013503798.tif 000003
【図２】
2013503798.tif 000004
【図３】
2013503798.tif 000005
【図４】
2013503798.tif 000006
【図５】
2013503798.tif 000007
【図６】
2013503798.tif 000008
【図７】
2013503798.tif 000009
【図８】
2013503798.tif 000010
【図９】
2013503798.tif 000011
【図１０】
2013503798.tif 000012
【国際調査報告】
2013503798.tif 000013
2013503798.tif 000014